(57)【要約】【課題】プロジェクタの光源を、より適切な光量で発光させるように制御をすることができる制御装置を提供する。【解決手段】本発明の光源を用いて画像を表示するプロジェクタの制御装置は、前記画像と前記画像の補助情報とを取得する取得手段と、前記画像に含まれるコンテンツ領域の数を判定する判定手段と、前記光源の発光量を制御する光源制御手段と、を備え、前記補助情報には、前記コンテンツ領域の輝度を示す情報が含まれ、前記判定手段が前記コンテンツ領域の数が１であると判定する場合に、前記光源制御手段は、前記コンテンツ領域の輝度を示す情報に応じて前記光源の発光量を変更する、ことを特徴とする。【選択図】図５
2019186690.tif 000002
【特許請求の範囲】
【請求項１】
光源を用いて画像を表示するプロジェクタの制御装置であって、
前記画像と前記画像の補助情報とを取得する取得手段と、
前記画像に含まれるコンテンツ領域の数を判定する判定手段と、
前記光源の発光量を制御する光源制御手段と、
を備え、
前記補助情報には、前記コンテンツ領域の輝度を示す情報が含まれ、
前記判定手段が前記コンテンツ領域の数が１であると判定する場合に、前記光源制御手段は、前記コンテンツ領域の輝度を示す情報に応じて前記光源の発光量を変更する、
ことを特徴とする制御装置。
【請求項２】
前記コンテンツ領域は、ＨＤＲ（Ｈｉｇｈ  Ｄｙｎａｍｉｃ  Ｒａｎｇｅ）の領域である、
ことを特徴とする請求項１に記載の制御装置。
【請求項３】
前記補助情報には、前記コンテンツ領域の数を示す情報が含まれ、
前記判定手段は、前記コンテンツ領域の数を示す情報に応じて前記コンテンツ領域の数の判定を行う、
ことを特徴とする請求項１または請求項２のいずれか１項に記載の制御装置。
【請求項４】
前記補助情報には、前記画像に含まれるコンテンツ領域のそれぞれの大きさを示す情報が含まれる、
ことを特徴とする請求項１から３のいずれか１項に記載の制御装置。
【請求項５】
前記コンテンツ領域の輝度を示す情報には、前記画像に含まれるコンテンツ領域のそれぞれの最大輝度値を示す情報が含まれる、
ことを特徴とする請求項１から４のいずれか１項に記載の制御装置。
【請求項６】
前記補助情報は、ＳＭＰＴＥ  ＳＴ  ２０９４の規定に基づく情報である、
ことを特徴とする請求項１から５のいずれか１項に記載の制御装置。
【請求項７】
前記補助情報は、ＣＴＡ−８６１−Ｇの規定に基づく情報である、
ことを特徴とする請求項１から５のいずれか１項に記載の制御装置。
【請求項８】
前記取得手段は、前記補助情報をフレーム毎に取得する、
ことを特徴とする請求項１から７のいずれか１項に記載の制御装置。
【請求項９】
前記判定手段が前記コンテンツ領域の数が２以上であると判定する場合に、前記光源制御手段は、前記コンテンツ領域の輝度を示す情報に応じて前記光源の発光量を変更しない、
ことを特徴とする請求項１から８のいずれか１項に記載の制御装置。
【請求項１０】
前記判定手段が前記コンテンツ領域の数が２以上であると判定する場合に、前記光源制御手段は、所定の発光量で前記光源を発光させる、
ことを特徴とする請求項１から８のいずれか１項に記載の制御装置。
【請求項１１】
前記光源制御手段は、前記判定手段が前記コンテンツ領域の数が１であると判定する場合に、
階調値が上限の値である白画像が、前記コンテンツ領域の最大輝度値と同じ表示輝度
で表示されるように前記光源の発光量を制御する、
ことを特徴とする請求項１から１０のいずれか１項に記載の制御装置。
【請求項１２】
前記判定手段は、前記コンテンツ領域の数が１であると判定する場合に、さらに当該コンテンツ領域の大きさを判定し、
前記光源制御手段は、前記判定手段が前記コンテンツ領域の数が１であると判定する場合であっても、前記画像の大きさに対する前記コンテンツ領域の大きさの比率が所定値以下であれば、前記判定手段が前記コンテンツ領域の数が２以上であると判定する場合と同じ発光量で前記光源を発光させる、
ことを特徴とする請求項１から１１のいずれか１項に記載の制御装置。
【請求項１３】
前記取得手段は第２画像をさらに取得し、
前記判定手段は、前記プロジェクタが前記画像と前記第２画像とを含んだ表示をするか否かを判定し、
前記光源制御手段は、前記判定手段が前記コンテンツ領域の数が１であると判定する場合であっても、前記プロジェクタが前記画像と前記第２画像とを含んだ表示をする場合には、前記判定手段が前記コンテンツ領域の数が２以上であると判定する場合と同じ発光量で前記光源を発光させる、
ことを特徴とする請求項１から１２のいずれか１項に記載の制御装置。
【請求項１４】
前記光源制御手段が前記コンテンツ領域の輝度を示す情報に応じて前記光源の発光量を変更する場合に、前記判定手段が１つであると判定したコンテンツ領域の最大輝度値に応じた電気光伝達関数（ＥＯＴＦ）に基づいて、前記画像の階調値を変換する画像処理手段を、さらに有する、
ことを特徴とする請求項１から１３のいずれか１項に記載の制御装置。
【請求項１５】
前記取得手段は、前記補助情報から、前記画像に含まれる１または複数のコンテンツ領域の中での最大輝度値を取得し、
前記光源制御手段は、階調値が上限の値である白画像が、当該最大輝度値と同じ表示輝度で表示されるように前記光源の発光量を制御する、
ことを特徴とする請求項１から８のいずれか１項に記載の制御装置。
【請求項１６】
光源を用いて画像を表示するプロジェクタの制御装置であって、
前記光源の発光量を制御する光源制御手段と、
前記画像と前記画像の補助情報とを取得する取得手段と、
を備え、
前記補助情報には、ＨＤＲ（Ｈｉｇｈ  Ｄｙｎａｍｉｃ  Ｒａｎｇｅ）のコンテンツ領域の数を示す情報が含まれ、
前記光源制御手段は、前記コンテンツ領域の数を示す情報に応じて前記光源の発光量を制御する、
ことを特徴とする制御装置。
【請求項１７】
請求項１から１６のいずれか１項に記載の制御装置と、
光源と、
前記光源が発光する光を透過又は反射することで前記画像を表示する表示手段と、
を有する、
ことを特徴とするプロジェクタ。
【請求項１８】
光源を用いて画像を表示するプロジェクタの制御方法であって、
前記画像と前記画像の補助情報とを取得する取得工程と、
前記画像に含まれるコンテンツ領域の数を判定する判定工程と、
前記光源の発光量を制御する光源制御工程と、
を含み、
前記補助情報には、前記コンテンツ領域の輝度を示す情報が含まれ、
前記判定工程において前記コンテンツ領域の数が１であると判定される場合に、前記光源制御工程では、前記コンテンツ領域の輝度を示す情報に応じて前記光源の発光量を変更する、
ことを特徴とするプロジェクタの制御方法。
【請求項１９】
光源を用いて画像を表示するプロジェクタの制御方法であって、
前記光源の発光量を制御する光源制御工程と、
前記画像と前記画像の補助情報とを取得する取得工程と、
を含み、
前記補助情報には、ＨＤＲ（Ｈｉｇｈ  Ｄｙｎａｍｉｃ  Ｒａｎｇｅ）のコンテンツ領域の数を示す情報が含まれ、
前記光源制御工程では、前記コンテンツ領域の数を示す情報に応じて前記光源の発光量を制御する、
ことを特徴とするプロジェクタの制御方法。
【請求項２０】
請求項１８または請求項１９に記載のプロジェクタの制御方法の各工程をコンピュータに実行させるためのプログラム。
【発明の詳細な説明】
【技術分野】
【０００１】
本発明は制御装置、プロジェクタ、プロジェクタの制御方法、プログラムに関するものである。
【背景技術】
【０００２】
近年、画像に含まれるコンテンツのダイナミックレンジの範囲が拡大しており、その中でもＨＤＲ（Ｈｉｇｈ  Ｄｙｎａｍｉｃ  Ｒａｎｇｅ）のコンテンツが普及してきている。そのＨＤＲに関する技術の一つとして、ＨＤＲコンテンツのシーン毎またはフレーム毎でダイナミックレンジを変えて表示することを可能とする動的ＨＤＲという技術がある。動的ＨＤＲでは、画像データを送信するソース機器が動的ＨＤＲ実現に必要なメタデータ（補助情報）を画像データに重畳して送信する。画像データを受信するシンク機器は、メタデータに基づいて光源の発光量制御、画像データに対するＥＯＴＦ（Ｅｌｅｃｔｒｏ−Ｏｐｔｉｃａｌ  Ｔｒａｎｓｆｅｒ  Ｆｕｎｃｔｉｏｎ；電気光伝達関数）に基づいた変換処理などに係る制御を行う。ここで、ＥＯＴＦとは、画像データのコード値（階調値）を表示する輝度に変換する関数をいう。
【０００３】
このようなメタデータを表示装置が有効に活用する技術として、特許文献１において、複数に分割されたバックライトブロックの発光量をそれぞれを、メタデータに含まれるコンテンツの座標情報に基づいて制御する方法が示されている。これにより、複数のバックライトブロックそれぞれの発光量を適切に制御することができ、例えば、バックライトブロックに対応する画像データの領域ごとに異なる画質の表示をすることができる。
【先行技術文献】
【特許文献】
【０００４】
【特許文献１】特開２０１２−１７７７７０号公報
【発明の概要】
【発明が解決しようとする課題】
【０００５】
しかしながら、単一の光源もしくは少数の光源によって画像を表示するプロジェクタなどの表示装置に対しては特許文献１の技術は適用できない。つまり、このような表示装置においては複数のコンテンツの領域を含む画像データを受信した際に、コンテンツ領域毎にメタデータに基づいて個別の輝度調整を行なうことができない。具体的には、１つのコンテンツ領域にあわせて光源の発光量調整を行なうと、投影画面全体に影響を与えてしまう。そのため、画像データに含まれるコンテンツ領域によっては、適切でない光源の発光量制御が行われ、ユーザの鑑賞を阻害することが可能性があるという課題があった。
【０００６】
そこで、本発明は、プロジェクタの光源を、より適切な光量で発光させるように制御をすることができる制御装置を提供することを目的とする。
【課題を解決するための手段】
【０００７】
本発明の第１の態様は、
光源を用いて画像を表示するプロジェクタの制御装置であって、
前記画像と前記画像の補助情報とを取得する取得手段と、
前記画像に含まれるコンテンツ領域の数を判定する判定手段と、
前記光源の発光量を制御する光源制御手段と、
を備え、
前記補助情報には、前記コンテンツ領域の輝度を示す情報が含まれ、
前記判定手段が前記コンテンツ領域の数が１であると判定する場合に、前記光源制御手段は、前記コンテンツ領域の輝度を示す情報に応じて前記光源の発光量を変更する、
ことを特徴とする制御装置である。
【０００８】
本発明の第２の態様は、
光源を用いて画像を表示するプロジェクタの制御装置であって、
前記光源の発光量を制御する光源制御手段と、
前記画像と前記画像の補助情報とを取得する取得手段と、
を備え、
前記補助情報には、ＨＤＲ（Ｈｉｇｈ  Ｄｙｎａｍｉｃ  Ｒａｎｇｅ）のコンテンツ領域の数を示す情報が含まれ、
前記光源制御手段は、前記コンテンツ領域の数を示す情報に応じて前記光源の発光量を制御する、
ことを特徴とする制御装置である。
【０００９】
本発明の第３の態様は、
光源を用いて画像を表示するプロジェクタの制御方法であって、
前記画像と前記画像の補助情報とを取得する取得工程と、
前記画像に含まれるコンテンツ領域の数を判定する判定工程と、
前記光源の発光量を制御する光源制御工程と、
を含み、
前記補助情報には、前記コンテンツ領域の輝度を示す情報が含まれ、
前記判定工程において前記コンテンツ領域の数が１であると判定される場合に、前記光源制御工程では、前記コンテンツ領域の輝度を示す情報に応じて前記光源の発光量を変更する、
ことを特徴とするプロジェクタの制御方法である。
【００１０】
本発明の第４の態様は、
光源を用いて画像を表示するプロジェクタの制御方法であって、
前記光源の発光量を制御する光源制御工程と、
前記画像と前記画像の補助情報とを取得する取得工程と、
を含み、
前記補助情報には、ＨＤＲ（Ｈｉｇｈ  Ｄｙｎａｍｉｃ  Ｒａｎｇｅ）のコンテンツ領域の数を示す情報が含まれ、
前記光源制御工程では、前記コンテンツ領域の数を示す情報に応じて前記光源の発光量を制御する、
ことを特徴とするプロジェクタの制御方法である。
【発明の効果】
【００１１】
本発明によれば、プロジェクタの光源を、より適切な光量で発光させるように制御をすることができる。
【図面の簡単な説明】
【００１２】
【図１】実施形態１に係るプロジェクタと外部装置の接続概観を示す図。
【図２】実施形態１に係るプロジェクタの構成を示す図。
【図３】実施形態１に係るプロジェクタの処理フローチャート。
【図４】実施形態１に係る画像取得部の構成を示す図。
【図５】実施形態１および変形例３に係る光源制御のフローチャート。
【図６】実施形態１および変形例１〜３に係る画像データを示す図。
【図７】実施形態１に係るＥＯＴＦを示す図。
【図８】変形例１および変形例２に係る光源制御のフローチャート。
【図９】プロジェクタの画像表示を説明する図。
【発明を実施するための形態】
【００１３】
以下に、本発明を実施するための形態について詳細に説明する。なお、以下に説明する実施形態は、本発明を実現するための一例であり、本発明が適用される装置の構成や各種条件によって適宜修正または変更されるべきものであり、本発明は以下の実施の形態に限定されるものではない。また、後述する実施形態や変形例の一部を適宜組みあわせて構成してもよい。
【００１４】
＜実施形態１＞
本実施形態では、画像データに重畳されるメタデータ（補助情報）を取得することが可能である表示装置についてプロジェクタを例として説明する。本実施形態に係るプロジェクタは、表示する画像におけるコンテンツ領域の数をメタデータから取得し、そのコンテンツ領域の数に応じて光源の発光量を制御する。これにより、プロジェクタが有する光源の数が少数である場合においても、より適切に光源の発光量を制御を行うことができる。なお、本実施形態に係るプロジェクタは、スクリーンに対して画像を投影するものであり、図９が示すようにスクリーン上に投影画面があり、投影画面に画像が表示されるものとする。ここで、投影画面とは、プロジェクタから光が照射されるスクリーン上の領域であり、画像が表示されない領域を含む。
【００１５】
また、動的ＨＤＲに関するメタデータは、例えば、ＳＭＰＴＥ（Ｓｏｃｉｅｔｙ  ｏｆ
Ｍｏｔｉｏｎ  Ｐｉｃｔｕｒｅ  ａｎｄ  Ｔｅｌｅｖｉｓｉｏｎ  Ｅｎｇｉｎｅｅｒｓ）ＳＴ２０９４規格および、ＣＴＡ（Ｃｏｎｓｕｍｅｒ  Ｅｌｅｃｔｒｏｎｉｃｓ  Ａｓｓｏｃｉａｔｉｏｎ）−８６１−Ｇにおいてデータとその構造が策定されている。この各規格ではＨＤＲ処理に係る情報として色空間変換に関する情報に加えて、座標情報やＨＤＲのコンテンツ数情報といったデータが定義されている。この座標情報とコンテンツ数情報を用いることで、画面内の特定領域へコンテンツをマッピング、または画面内に複数のコンテンツをマッピングする制御を実現する。
【００１６】
なお、本実施形態に係るプロジェクタは、（透過型）液晶プロジェクタに限らず、反射型液晶プロジェクタでも、ＤＬＰ（Ｄｉｇｉｔａｌ  Ｌｉｇｈｔ  Ｐｒｏｃｅｓｓｉｎｇ）プロジェクタでもよい。なお、有する光源が少数である表示装置である必要はなく、例えば、多数の光源を有しており、全ての光源の発光量を全体として制御することはできるが、光源それぞれに対する発光量の制御ができない表示装置でもよい。以下では、図１に示すように、プロジェクタ１０と外部装置２０が接続されており、外部装置２０からコンテンツを含む画像データが送信され、プロジェクタ１０が当該画像データを受信する例を説明する。なお、本実施形態ではコンテンツはＨＤＲコンテンツであるとするが、これに限らず任意の画像に関するコンテンツでよい。なお、外部装置２０は、撮像装置（カメラ）、ＰＣ、スマートフォンなど、メタデータを重畳して画像データを送信することが可能な装置であれば任意のものでよい。
【００１７】
［プロジェクタの構成］
図２は、本実施形態のプロジェクタ１０の構成を示した図である。プロジェクタ１０は、各機能部を全体として制御するための制御部１００を有する。プロジェクタ１０は、投影対象物への画像投影を行うための、液晶部１０１、液晶駆動部１０２、光源１０３、投影光学系１０４、光源制御部１０５、光学系制御部１０６を有する。プロジェクタ１０は、外部とデータの送受信を行うための、画像取得部１１０、画像取得部１１１、ＵＳＢインターフェース１１２、通信部１１３、操作部１１４を有する。プロジェクタ１０は、プロジェクタ１０の内外部の環境の情報取得・調整するための、傾きセンサ１２０、タイマ
１２１、温度計１２２、冷却部１２３、赤外線受信部１２４、焦点検出部１２５、撮像部１２６、スクリーン測光部１２７を有する。プロジェクタ１０は、ユーザに対して通知を行うための、表示部１３０、表示制御部１３１を有する。プロジェクタ１０は、内部へ電力の供給を行うための、電源部１４０、電源入力部１４１、バッテリ１４２を有する。プロジェクタ１０は、データを記憶するための内部メモリ１５０、ＲＡＭ１５１を有する。プロジェクタ１０は、画像データに対して画像処理を行うための、画像処理部１６０、ファイル再生部１６１を有する。なお、上記の機能部は、一般的なプロジェクタの動作を行うための機能部であり、本実施形態に必須でない機能部も含まれている。なお、本実施形態では、液晶部１０１と光源１０３と投影光学系１０４を有するプロジェクタについて説明するが、液晶部１０１と光源１０３と投影光学系１０４を有するプロジェクタを制御する制御装置であっても同様の効果を得ることができる。以下にて、上記の機能部の概要について説明する。
【００１８】
（プロジェクタの各機能部を全体として制御するための機能部）
制御部１００は、プロジェクタ１０の複数の機能部を制御する、例えば、ＣＰＵ（Ｃｅｎｔｒａｌ  Ｐｒｏｃｅｓｓｉｎｇ  Ｕｎｉｔ）である。制御部１００は、複数の機能部とバス１７０にて接続されており、各機能部への制御指示やデータの送受信などのアクセスを行なうことが可能である。本実施形態では、制御部１００はバス１７０を介して、プロジェクタ１０が有する全ての機能部のうち、液晶部１０１、光源１０３、投影光学系１０４、操作部１１４、表示部１３０、電源入力部１４１、バッテリ１４２、以外の機能部を直接制御するものとする。
【００１９】
（投影対象物への画像投影を行うための機能部）
液晶部１０１は、１枚の液晶パネルや３枚の液晶パネルなどで構成されており、光源１０３が発光する光を透過することで液晶パネル（表示パネル）上に画像を形成する。液晶部１０１の解像度は任意であるが、本実施形態では液晶部１０１は４０９６×２１６０の解像度を有するものとする。なお、光を透過する透過型の液晶パネルの代わりに、光を反射する反射型の液晶パネルまたはＤＭＤ（Ｄｉｇｉｔａｌ  Ｍｉｃｒｏｍｉｒｒｏｒ  Ｄｅｖｉｃｅ）パネルを使用しても良い。
【００２０】
液晶駆動部１０２は、入力された画像データに基づいて、液晶部１０１の液晶パネルに画像を形成させる。光源１０３は液晶部１０１に光を供給する。なお、本実施形態では、プロジェクタ１０における光源は１つのみであり、液晶部１０１に投射される光量は画像内の位置によって変化しないものとする。なお、本実施形態に係るプロジェクタ１０における光源の数は１つに限らず任意の数でよい。
【００２１】
投影光学系１０４は、光源１０３から発せられた光が液晶部１０１において透過されることにより得られた光学像をスクリーンなどの投影対象物に投影する。光源制御部１０５は、光源１０３の光量などを制御する。光学系制御部１０６は、投影光学系１０４のズームレンズやフォーカスレンズなどの動作を制御し、ズーム倍率や焦点調整などを行う。なお、プロジェクタ１０により画像が投影される投影対象物は、スクリーンに限らず、例えば建物やバルーンなどであってもよい。
【００２２】
（プロジェクタの外部とデータの送受信を行うための機能部）
画像取得部１１０、画像取得部１１１は、Ｂｌｕ−ｒａｙ（登録商標）レコーダやＳＴＢ（Ｓｅｔ  Ｔｏｐ  Ｂｏｘ）などから、１または複数のコンテンツ領域を含む画像データを取得する。本実施形態では、画像取得部１１０、画像取得部１１１は、ＨＤＭＩ（登録商標；Ｈｉｇｈ−Ｄｅｆｉｎｉｔｉｏｎ  Ｍｕｌｔｉｍｅｄｉａ  Ｉｎｔｅｒｆａｃｅ）ケーブルを介して画像データを取得する。なお、ＨＤＭＩケーブルに限らず、ＳＤＩ（Ｓｅｒｉａｌ  Ｄｉｇｉｔａｌ  Ｉｎｔｅｒｆａｃｅ）ケーブルであってもよいし、画像
取得部１１０と画像取得部１１１は無線通信によって画像データを取得してもよい。また、インターフェース規格の種類によっては伝送する画像データの伝送方式や信号線数などが定められている。例えば、伝送方式として、表示画素を構成するためのデータ信号とクロック信号について分離して伝送するセパレートクロック方式や、クロックをデータに埋め込むエンベデッドクロック方式などが存在する。ＨＤＭＩ規格においてはセパレートクロック方式が採用されており、伝送されるクロック信号に基づいてデータ信号を受信する。
【００２３】
また、画像取得部１１０、画像取得部１１１の内部にはプロジェクタ１０が受信可能な画像フォーマットに関する情報を示すＥＤＩＤ（Ｅｘｔｅｎｄｅｄ  Ｄｉｓｐｌａｙ  Ｉｄｅｎｔｉｆｉｃａｔｉｏｎ  Ｄａｔａ）を保持している。画像取得部１１０、画像取得部１１１は、外部装置２０からの要求に基づいてＥＤＩＤの通知を行う。また、画像取得部１１０、画像取得部１１１は、外部装置２０との接続ライン内に、外部装置２０に対しケーブルが接続されたことを通知することが可能なＨＰＤ（Ｈｏｔ  Ｐｌｕｇ  Ｄｅｔｅｃｔ）を有する構成である。また、画像取得部１１０、画像取得部１１１は受信した画像データについて測定処理や画像フォーマットの解析処理、画像データに重畳されるメタデータの取得処理を行なうことも可能である。なお、接続される外部装置２０は、ＥＤＩＤに含まれる情報に基づいて画像データを出力するものとする。ここで、ＥＤＩＤに含まれる情報とは、受信可能な画像データの解像度や、フレームレートなどの信号タイミング情報、ビット深度、動的ＨＤＲへの対応可否および対応方式などの情報である。
【００２４】
ＵＳＢインターフェース１１２は、外部から画像データ（映像データ；画像ファイル）などの各種の情報データのファイルを受け取る、または外部に書き出す。また、ＵＳＢインターフェース１１２には、ポインティングデバイスや、キーボード、ＵＳＢ型のフラッシュメモリなども接続されることもある。通信部１１３は、イントラネット、インターネットから画像データなどの各種の情報データのファイル、その他の命令信号を送受信する。例えば、通信部１１３とイントラネットやインターネットとは、有線ＬＡＮや無線ＬＡＮなどで接続されている。操作部１１４は、ボタンやスイッチなどであり、ユーザからの電子機器１０の電源ＯＮ／ＯＦＦなどの操作を受け付ける。
【００２５】
（プロジェクタ内外部の環境の情報取得・調整するための機能部）
傾きセンサ１２０は、プロジェクタ１０の物理的な傾きを検出する。タイマ１２１は、プロジェクタ１０の動作時間、各機能部の動作時間などを検出する。温度計１２２は、プロジェクタの光源１０３の温度、液晶部１０１の温度、外気温などを計測する。冷却部１２３は、温度計１２２が検出する温度などに応じて、プロジェクタ１０内の熱を外部に放出して、プロジェクタ１０を冷却する。冷却部１２３は、例えば、ヒートシンクとファンにより構成されている。
【００２６】
赤外線受信部１２４は、プロジェクタ１０付属のリモコンやその他の機器からの赤外線を受信し、受信した信号を制御部１００に送る。例えば、赤外線受信部１２４は、プロジェクタの前後方向などの複数箇所にそれぞれ設置されている。焦点検出部１２５は、プロジェクタ１０とスクリーンとの距離を検出し、焦点距離を検出する。撮像部１２６は、スクリーンの方向を撮像する。
【００２７】
スクリーン測光部１２７は、スクリーンにより反射される光の光量や投影画面の表示輝度を計測する。具体的には、スクリーン測光部１２７は、光源１０３の出力光量、プロジェクタ１０とスクリーンの距離、投影光学系１０４のズーム状態などから表示輝度を算出し保持する。例えば、プロジェクタ１０からスクリーンまでの距離を焦点検出部１２５などの距離センサが測定する。スクリーン測光部１２７は、投影光学系１０４のズーム状態およびスクリーンまでの距離に対応する、投影サイズの予め記憶された関係から投影面積
を算出する。そして、スクリーン測光部１２７は、算出した投影面積と光源１０３の出力光量に基づき投影画面の表示輝度を算出する。
【００２８】
（ユーザに対して通知を行うための機能部）
表示部１３０は、プロジェクタ１０においてユーザから見える位置に配置され、プロジェクタ１０の状態や警告などを表示しユーザに通知する。表示制御部１３１は、表示部１３０を制御する。
【００２９】
（プロジェクタへ電力を供給を行うための機能部）
電源部１４０は、プロジェクタ１０の各機能部への電源供給を制御する。電源入力部１４１は、外部からの交流電力を受け入れ、所定の電圧に整流して電源部１４０に供給する。バッテリ１４２は、電源入力部１４１から電力が供給されていない場合に、電力を電源部１４０に供給する充放電可能な蓄電池である。
【００３０】
（データを記憶するための機能部）
内部メモリ１５０は、画像データ、ユーザ設定に関するデータなどの各種の情報データのファイルを保存し、半導体メモリやハードディスクなどで構成される。ＲＡＭ１５１は、内部メモリ１５０に格納されているプログラムの展開や投影する画像のフレームメモリなどに使用する。
【００３１】
（画像データに対して画像処理を行うための機能部）
画像処理部１６０は画像データの画素数（解像度）を液晶部１０１が有する液晶パネルの画素数にあわせて変換する。また、画像処理部１６０は、液晶パネルを交流駆動させるため、入力された画像データのフレームの数を倍にし、液晶パネルによる画像形成に適した補正などの処理を行う。ここで、液晶パネルの交流駆動とは、液晶パネルの液晶にかける電圧の方向を交互に入れ替えて表示させる駆動であり、液晶にかける電圧の方向が正方向でも逆方向でも画像を生成できる性質を利用したものである。このとき、液晶駆動部１０２は、正方向用の画像データと、逆方向用の画像データを１枚ずつ送る必要があるので、画像処理部１６０では、画像データのフレームの数を倍にする処理を行う。画像処理部１６０により処理される画像データに基づいて、液晶駆動部１０２は液晶部１０１の液晶パネルに画像を形成させる。
【００３２】
また、画像処理部１６０は、プロジェクタ１０がスクリーンに対して斜め方向から画像を投影することで投影画面が台形状などに歪んでしまう場合に、台形状の歪みを打ち消すように投影する画像の形状を変形させるキーストーン補正を行う。キーストーン補正では、投影する画像の水平方向や垂直方向の拡大／縮小率を変更している。このようにして、投影画面の台形状の歪みとキーストーン補正された画像の歪みが相殺され、正常なアスペクト比の長方形に近い画像がスクリーンに表示させる。このキーストーン補正は、傾きセンサ１２０により得られた傾き角に基づいてもよいし、撮像部１２６により撮像された画像に基づいてもよいし、ユーザが操作部１１４などを操作することにより行われてもよい。
【００３３】
ファイル再生部１６１は、例えば、外部装置２０によって符号化（エンコード）されたファイルデータなどを、プロジェクタ１０において利用できるようにするために復元（デコード）する。
【００３４】
［基本的なプロジェクタの動作について］
ここで、プロジェクタ１０の基本的な動作の概要について説明する。ここでは、プロジェクタ１０において、電源がＯＮにされてから、画像を投影して、電源をＯＦＦにされるまでの流れの概要を一例として説明する。
【００３５】
制御部１００は、操作部１１４において電源ＯＮの指示が入力されることにより、各機能部に電源を供給するように電源部１４０へ指示し、各機能部を待機状態にする。そして、電源が投入された後、制御部１００は、光源制御部１０５に対して光源１０３からの発光を開始するように指示する。
【００３６】
次に、制御部１００は、焦点検出部１２５により得られた焦点の情報などから、投影光学系１０４を調整するよう光学系制御部１０６に指示する。光学系制御部１０６は、投影光学系１０４のズームレンズやフォーカスレンズを動作させてスクリーン画面上に投影光が結像するよう制御する。このようにして、投影の準備が整う。
【００３７】
次に、画像処理部１６０は、制御部１００の指示に基づき、画像取得部１１０に入力された画像データを所定のレイアウトで合成し、液晶部１０１に適した解像度に変換する。また、画像処理部１６０は、制御部１００の指示に基づき、画像データに対してガンマ補正や、輝度ムラが発生しないようにする補正、キーストーン補正を加える。そして、画像処理部１６０により補正を加えられた画像データは、液晶駆動部１０２により液晶部１０１に画像として形成される。そして、液晶部１０１の液晶パネルに形成された画像は、光源１０３から発せられた光によって、投影光学系１０４からスクリーンに投影される。
【００３８】
また、投影中には、制御部１００は、光源１０３などの温度を温度計１２２により検出する。そして、例えば、光源１０３の温度が４０度以上に変化したときに、制御部１００は、冷却部１２３を動作させて光源１０３を冷却する。
【００３９】
そして、操作部１１４において電源ＯＦＦの指示が入力されると、制御部１００は、各機能部に終了処理を行うよう指示をする。さらに、終了の準備が整うと、制御部１００の指示に基づき、電源部１４０は各機能部への電源供給を順次終了する。冷却部１２３は、電源ＯＦＦされた後しばらく動作し、プロジェクタ１０を冷却する。
【００４０】
［画像データ受信から投影までの処理フロー］
次に、本実施形態に係るプロジェクタ１０の画像取得部１１０に画像データが入力されてから、投影を行うまでの動作について図３のフローチャートを用いて説明する。なお、本実施形態におけるプロジェクタ１０は画像取得部１１０と画像取得部１１１を有しているが、動作仕様についてはそれぞれ同じであるものとして、ここでは画像取得部１１０について説明する。
【００４１】
（Ｓ１０１）
プロジェクタ１０は、制御部１００が画像取得部１１０に問いあわせ（ポーリング）することにより、または画像取得部１１０から通知される割り込みにより、外部装置２０とＨＤＭＩケーブルを介して接続されたことを検知する。
【００４２】
（Ｓ１０２）
制御部１００は、ＨＤＭＩケーブルを介して接続されたことを検出すると、画像取得部１１０に対して、プロジェクタ１０と外部装置２０とが接続されたこと示すＨＰＤ信号を外部装置２０へ通知するように指示を出す。次に、ＨＰＤ信号を受けた外部装置２０は、プロジェクタ１０に対しＥＤＩＤを要求する。
【００４３】
（Ｓ１０３）
画像取得部１１０は、外部装置２０からＥＤＩＤの要求を受け付けると、画像取得部１１０内部のＲＡＭ（不図示）に保持しているＥＤＩＤを読み出す。画像取得部１１０は、ＨＤＭＩケーブル内の、ＥＤＩＤを授受するためのＤＤＣ（Ｄｉｓｐｌａｙ  Ｄａｔａ  
Ｃｈａｎｎｅｌ）ラインを介して外部装置２０にＥＤＩＤを通知する。
【００４４】
本実施形態においては、プロジェクタ１０が保持するＥＤＩＤには、プロジェクタ１０が動的ＨＤＲに対応することを示すデータを含む、動的ＨＤＲに対応する画像データに関する情報が格納されているものとする。ＣＴＡ−８６１−Ｇ規格によれば４タイプの動的ＨＤＲ方式が規定されている。ここで、プロジェクタ１０が対応可能な動的ＨＤＲ方式を示す情報をＥＤＩＤに格納しておくことで、プロジェクタ１０が対応している動的ＨＤＲ方式を外部装置２０に通知することが可能である。外部装置２０は、プロジェクタ１０から通知されたＥＤＩＤの読み出しに成功すると、ＥＤＩＤに格納されている画像フォーマット情報や対応する動的ＨＤＲ方式などに基づいて、メタデータを重畳して画像データの送信を開始する。つまり、外部装置２０は、ＥＤＩＤの読み出しに成功すると、例えば、ＣＴＡ−８６１−Ｇの規定に基づいたメタデータを重畳して、画像データをプロジェクタ１０に送信する。なお、ＣＴＡ−８６１−Ｇの規定（規格）に限らず、ＳＭＰＴＥ  ＳＴ
２０９４の規定（規格）に基づいたメタデータであってもよい。
【００４５】
（Ｓ１０４）
画像取得部１１０は、外部装置２０より送信された、メタデータを重畳した画像データの受信処理を行う。ここで、画像取得部１１０の画像データの受信処理について、図４が示す画像取得部１１０の内部構成図に基づき詳細に説明する。画像取得部１１０は、同期信号受信部１１０１、ＣＲ部１１０２、画像データ受信部１１０３、メタデータ保持部１１０４を有する。
【００４６】
同期信号受信部１１０１は、ＨＤＭＩ規格において採用されているＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）方式のＴＭＤＳクロックを受信する。同期信号受信部１１０１は、ＴＭＤＳクロックを、ＣＲ部１１０２と画像データ受信部１１０３に出力する。
【００４７】
ＣＲ部１１０２（Ｃｌｏｃｋ  Ｒｅｃｏｖｅｒｙ）は、同期信号受信部１１０１から入力されるＴＭＤＳクロックに基づいて、後述する画像データ受信部１１０３で受信する画像データを抽出（サンプリング）するためのサンプリングクロックを生成する。ＣＲ部１１０２は、ＰＬＬ（Ｐｈａｓｅ  Ｌｏｃｋｅｄ  Ｌｏｏｐ；位相同期回路）などで構成される回路である。ＣＲ部１１０２は、サンプリングクロックを、画像データ受信部１１０３に出力する。
【００４８】
画像データ受信部１１０３は、ＣＲ部１１０２から入力されるサンプリングクロックに基づいて伝送路から画像データを受信する回路である。また、画像データには水平同期タイミング、垂直同期タイミング、有効表示タイミングなどを示す情報も重畳されている。画像データ受信部１１０３は、重畳される情報およびＴＭＤＳクロックから、周波数カウンタ回路（不図示）を介して同期周波数、解像度などのフォーマット情報も計測する。画像データ受信部１１０３は、水平同期タイミングや垂直同期タイミングや有効表示タイミングを示す情報に基づいて、必要な画像データを取り出して内部信号として、同期信号とあわせて画像処理部１６０へ出力する。また、画像データ受信部１１０３は、フォーマット情報をメタデータ保持部１１０４へ出力する。
【００４９】
さらに、画像データ受信部１１０３は、外部装置２０から受信した画像データに含まれるメタデータ（補助情報）を取得する。このメタデータには、画像データに含まれるコンテンツ領域の数、コンテンツ領域それぞれの最大輝度値などの輝度を示す情報、座標情報などが含まれる。取得したメタデータは、メタデータを取得したか否かを示す情報（取得情報）と共にメタデータ保持部１１０４へ出力される。なお、画像データ受信部１１０３は、メタデータを毎フレーム送受信することが可能であるものとする。さらに、メタデー
タに変更があった場合に、画像データ受信部１１０３が制御部１００へ通知を行う仕組みを採用してもよい。
【００５０】
メタデータ保持部１１０４は、フォーマット情報とメタデータを、制御部１００など外部の機能部から読み出し可能な状態で保持する。また、メタデータ保持部１１０４は、メタデータの種別毎に保持領域を確保しており、メタデータを受信するたびに受信したメタデータの種別に応じた領域が随時上書きされる。なお、動的ＨＤＲに関するメタデータについても上述する保持領域に格納される。
【００５１】
（Ｓ１０５）
制御部１００は、メタデータ保持部１１０４からメタデータをＲＡＭ１５１へ読み出す。なお、制御部１００は、メタデータ保持部１１０４に保持されている取得情報を読み出し、取得情報がメタデータを取得したことを示す場合に、メタデータをＲＡＭ１５１に読み出すものとする。また、動的ＨＤＲ方式によっては、メタデータを画像データに適用すべき時間間隔に係る情報が画像データに重畳される場合がある。その情報に基づいたタイミングで、制御部１００が、メタデータ保持部１１０４から動的ＨＤＲに関するメタデータの読み出しを行ってもよい。
【００５２】
（Ｓ１０６）
制御部１００はメタデータに基づいて、各種処理を行う。ここでは、制御部１００は、動的ＨＤＲに関するメタデータの内容に基づいて、光源１０３の制御やＥＯＴＦに基づいた画像処理の指示を各機能部に対して行う。なお、上述のように、ＥＯＴＦとは電気信号、即ち所定のビット深度で表されるコード値（階調値）を輝度値に変換する伝達関数である。なお、光源１０３の制御やＥＯＴＦに基づいた画像処理の詳細については後述に説明する。
【００５３】
なお、画像処理部１６０による画像処理および光源１０３の制御がされる際に、プロジェクタ１０内部のシステム構成の都合により投影している画像が乱れて表示される場合がある。そこで、制御部１００は画像処理部１６０へ指示を出し、画像の非表示状態（ミュート状態）に遷移させて、その間に各種制御を行って乱れを取り除き、最後に非表示状態を解除するよう制御してもよい。この制御により、システム構成の都合によって投影している画像が乱れることによる表示品位低下を抑制することができる。
【００５４】
（Ｓ１０７）
制御部１００の指示に基づいて、画像処理部１６０は、プロジェクタ１０が有する液晶部１０１の解像度に画像データの解像度をあわせるための変換処理を行う。解像度の変換処理後の画像データは画像処理部１６０より出力され、液晶駆動部１０２を通じて液晶部１０１に画像形成される。
【００５５】
（Ｓ１０８）
制御部１００は、光源制御部１０５を介して光源１０３を発光させて投影光学系１０４より画像を投影する。以上のフローに基づいてプロジェクタ１０は画像データ受信から投影までの動作を行う。
【００５６】
［光源制御処理および画像処理のフロー］
上述のＳ１０６における、光源１０３の発光量制御処理およびＥＯＴＦに基づいた画像処理（変換処理）について、図５（Ａ）が示すフローチャートを用いて詳細に説明する。ここでは、動的ＨＤＲに関するメタデータに含まれるコンテンツ領域（ウィンドウ）の数（ウィンドウ数）を示す情報に応じて光源制御およびＥＯＴＦに基づいた変換処理をするか否かを判定する方法について説明する。なお、下記の処理は、プロジェクタ１０がメタ
データを取得する毎に実施されてもよいし、フレーム毎やシーン毎に実施されてもよい。
【００５７】
なお、本実施形態では、光源１０３に対する発光量の制御がされなければ、プロジェクタ１０は投影画面の上限の表示輝度（投影輝度）を５００ｎｉｔとして投影している例について説明する。つまり、コード値が上限の値である白画像が、５００ｎｉｔの表示輝度で表示されるような発光量で発光する光源１０３について説明する。ここで、５００ｎｉｔの投影輝度は、投影距離、光束、外光などの条件によって変更可能である。また、本実施形態では、外部装置２０からプロジェクタ１０が受信したメタデータにおける、画像データの最大輝度値を示す情報（最大輝度情報）は３００ｎｉｔであるものとする。また、本実施形態では、画像データのコード値は８ビット（０〜１０２３）で示されるものとする。なお、光源１０３の発光量の制御やＥＯＴＦに基づく変換処理に用いる情報はコンテンツ領域の最大輝度情報（最大輝度値）であることが望ましいが、コンテンツ領域の輝度を示す情報であればよく、例えば、平均輝度値や最頻値、中央値であってもよい。
【００５８】
（Ｓ２０１）
制御部１００は、メタデータ保持部１１０４からウィンドウ数に関する情報を読み出す。ウィンドウ数に関する情報とは、受信した画像データに含まれるコンテンツの数を示すメタデータに格納される情報である。
【００５９】
（Ｓ２０２）
制御部１００は、メタデータ保持部１１０４から読み出したウィンドウ数が２以上であるか否かを判定する。判定の結果、ウィンドウ数が１である場合はＳ２０３へ遷移し、ウィンドウ数が２以上である場合は、光源１０３の発光量制御およびＥＯＴＦに基づく変換処理を行わずに工程は終了する。ウィンドウ数が２以上である場合に工程を終了させる理由は、単一また少数の光源を有するプロジェクタにおいて、異なる最大輝度値を持つ複数領域それぞれに対して個別に照射する光量の制御を行うことができないためである。なお、図６（Ａ）のように画像データ４００の中にウィンドウ５００のみがある場合はウィンドウ数が１であり、図６（Ｂ）のように画像データ４００の中にウィンドウ５０１とウィンドウ５０２とがあればウィンドウ数は２である。また、上述の判定を行うことから、制御部１００は、本実施形態において判定手段であるということができる。
【００６０】
（Ｓ２０３）
制御部１００はメタデータ保持部１１０４からウィンドウの輝度を示す情報を読み出す。このコンテンツ領域の輝度を示す情報には、各ウィンドウ（コンテンツ領域）における最大輝度値に関する情報が含まれている。
【００６１】
（Ｓ２０４）
制御部１００は、読み出した最大輝度情報に基づいて光源制御部１０５に対し指示する。これは、プロジェクタ１０の投影輝度を、読み出した最大輝度情報まで変更（低下）させるような指示である。つまり、プロジェクタ１０の投影輝度は、最大輝度情報に応じて決定される。
【００６２】
本実施形態においては、制御部１００は、５００ｎｉｔである投影輝度を最大輝度情報と同じ値である３００ｎｉｔにするように光源制御部１０５に指示する。具体的には、制御部１００は、光源制御部１０５へ光束を調整するよう指示をして、投影画面が目標とする表示輝度（３００ｎｉｔ）をとるように光源１０３の発光量の制御を行う。つまり、制御部１００は、最大輝度情報と同じ表示輝度で、階調値が上限値である白画像が表示されるように、光源１０３の発光量を制御する。ここで、プロジェクタ１０は、上述したスクリーン測光部１２７により投影輝度を把握することができる。また、光源１０３の発光量の制御方法については特定の方法に限定することはなく、光源の種類に応じて位相制御方
式、ＰＷＭ制御方式などいずれの手段であってもよい。なお、上述のような発光量の制御の他、アイリスを調整することで投影輝度を制御する方法であってもよい。
【００６３】
（Ｓ２０５）
制御部１００は、ＥＯＴＦによる画像データのコード値の変換指示を画像処理部１６０に対して行う。図７はコード値と輝度値の関係を示すＥＯＴＦである。ＥＯＴＦ３００は人間の視覚特性に基づくガンマカーブであるＰＱ（Ｐｅｒｃｅｐｔｕａｌ  Ｑｕａｎｔｉｚａｔｉｏｎ）に応じたＥＯＴＦを示している。また、ＥＯＴＦ３０１はＰＱについて相対的な関係を維持したまま輝度値の最大を、最大輝度情報である３００ｎｉｔにあわせてダイナミックレンジを縮小したＥＯＴＦを示している。具体的には、ＥＯＴＦ３０１は、受信したメタデータが示す最大輝度情報３００ｎｉｔをＰＱにおける最大の輝度値１００００ｎｉｔで除算した値を、ＥＯＴＦ３００に乗ずることで得られるＥＯＴＦである。本実施形態においては、制御部１００は、画像処理部１６０に対して、ＥＯＴＦ３０１に基づいて画像データのコード値の変換を行うよう指示し、対応する輝度値の最大値を３００ｎｉｔとする変換処理を施した画像データを出力させる。これにより、光源１０３の発光量の低下による画像の表示輝度の低下を抑制することができる。
【００６４】
制御部１００による画像処理部１６０への変換指示は、様々な方法をとることが可能である。例えば、画像処理部１６０が、予め複数の最大輝度情報に応じて、ＥＯＴＦ変換を行うためのコード値と輝度値の対応を有するＬＵＴ（ＬｏｏｋＵｐ  Ｔａｂｌｅ）を保持しておく。そして、制御部１００が、受信したメタデータに含まれる最大輝度情報に応じて使用するＬＵＴを切り替えるように、画像処理部１６０に対して指示する。
【００６５】
なお、本実施形態においてはＥＯＴＦに基づく変換に、最大輝度値を１００００ｎｉｔとするＰＱを用いたが、これに限ることはなく、例えば、外部装置２０からメタデータとして送信されるＥＯＴＦを形成するための情報に基づいて変換を行ってもよい。また、ＥＯＴＦに基づく処理は、例えば、光源１０３の発光量の低下度合いが所定の閾値以下であり、画像の表示輝度の低下による影響が少ないと判断されれば行われなくてもよい。なお、本実施形態においてはプロジェクタを例にとって説明したがこれに限ることなく、例えば、少ないバックライトから構成される表示装置などにも適用することが可能である。また、ウィンドウ数については明示的にメタデータに重畳されないケースも想定される。その場合は、画像取得部１１０および画像取得部１１１が受信するメタデータに含まれる対象ウィンドウに紐づく輝度情報などの各種情報セットをカウントすることでウィンドウ数を判定（推測）してもよい。また、本実施形態においてはプロジェクタ１０が、上限である５００ｎｉｔの表示輝度で表示されるような発光量の状態から３００ｎｉｔに制御する例を説明したが、これに限ることない。例えば、プロジェクタ１０が３００ｎｉｔの表示輝度で表示されるような発光量から、ＥＯＴＦに基づく変換処理の実施の判定結果および、メタデータに基づいて５００ｎｉｔに制御（決定）しても良い。
【００６６】
［効果］
以上のように、本実施形態では、メタデータが示すウィンドウ数に応じて光源の発光量制御およびＥＯＴＦに基づく変換処理の実施を判定する。ウィンドウ数が１である場合は、当該ウィンドウに応じて光源の発光量の制御を行うことで、プロジェクタの消費電力を抑えることや黒浮きを抑えることができる。さらに、画像データに対してＥＯＴＦに基づく変換処理が実施されているため、画像データの表示輝度の低下が抑制され、ユーザの鑑賞を阻害しない。ここで、光源の発光量の制御やＥＯＴＦに基づく変換処理は、メタデータを利用しているため、例えば、画像データ自体からコード値を取り出すよりも処理が容易であるという効果もある。また、ウィンドウ数が２以上である場合は、光源の発光量制御およびＥＯＴＦに基づく変換処理が行われずに工程が終了する。このため、一方のウィンドウに適当な表示輝度に調整することによって、他方に適当でない輝度に調整されるこ
とを防ぐことができる。つまり、光源を制御することによるユーザの鑑賞を阻害する可能性を低減できる。従って、本実施形態によれば、特に少数の光源を有する表示装置の光源をより適切な発光量に制御することができる。
【００６７】
＜変形例１＞
以下にて、実施形態１に係る変形例１について説明する。本変形例ではウィンドウ数とウィンドウの最大輝度値に加えてウィンドウの大きさ（サイズ）を考慮して、発光量制御およびＥＯＴＦに基づく変換処理を行う変形例について説明する。図８（Ａ）は本変形例における、光源制御およびＥＯＴＦに基づく変換処理のフローチャートを示す図である。なお、実施形態１と共通するＳ２０１〜Ｓ２０５の処理の説明は省略し、異なる処理であるＳ３０１〜Ｓ３０３について詳細に説明する。
【００６８】
以下では、具体的な数値に基づいて説明する。図６（Ｃ）は本変形例におけるプロジェクタ１０が外部装置２０から受信するウィンドウ５０１を含む画像データ４００を示している。画像データ４００は、３８４０×２１６０の解像度を有する。ウィンドウ５０１は当該画像データ内に含まれるコンテンツ領域であり、１９２０×１０８０の解像度を有する。また、画像データ４００における左上を原点（０，０）、横軸をＸ軸、縦軸をＹ軸とすると、ウィンドウ５０１は、左上（Ｘ＝４８０，Ｙ＝４８０）、右下（Ｘ＝２４００，Ｙ＝１５６０）という座標に位置している。
【００６９】
Ｓ２０１〜Ｓ２０２では実施形態１と同様、制御部１００がウィンドウ数をメタデータ保持部１１０４から読み出してウィンドウ数の判定を行う処理である。Ｓ２０２において、ウィンドウ数が２以上であると判定されると工程は終了し、ウィンドウ数が１であると判定されるとＳ３０１へ遷移する。
【００７０】
（Ｓ３０１）
制御部１００は、メタデータ保持部１１０４からウィンドウ５０１の座標情報を読み出す。座標情報とは、コンテンツ領域であるウィンドウ５０１の画像データ４００全体における位置を示す情報である。上述の例では、制御部１００はウィンドウ座標情報として左上（Ｘ＝４８０，Ｙ＝４８０）、右下（Ｘ＝２４００，Ｙ＝１５６０）をそれぞれ読み出す。これにより、制御部１００は、ウィンドウ５０１が１９２０×１０８０の大きさであることが算出できる。なお、座標情報はウィンドウ５０１の大きさを算出するために用いるため、左上と右下に限らず、右上と左下、右上と中心位置などの座標を示す組合せの情報を読みだしてもよい。また、座標情報ではなく、ウィンドウ５０１の大きさを示す情報がメタデータに格納されている場合は、ウィンドウ５０１の大きさを示す情報を優先して利用してもよい。
【００７１】
（Ｓ３０２）
制御部１００は、画像データ４００の大きさに対するウィンドウ５０１の大きさである面積比率を算出する。本変形例では、制御部１００は画像データ４００の解像度である３８４０×２１６０に対する、読み出した座標から算出するウィンドウ５０１の解像度の面積比率を算出する。従って、ウィンドウ５０１が１９２０×１０８０の解像度であり、画像データ４００が３８４０×２１６０の解像度であるため、面積比率は０．２５という値が算出される。
【００７２】
（Ｓ３０３）
制御部１００は、算出した面積比率と所定値を比較する。つまり、制御部１００は、画像データ４００に対するウィンドウ５０１の面積比率に応じて光源１０３の発光量の制御などの実行を判定する。制御部１００が面積比率は所定値以下であると判定すると工程は終了する。つまり、制御部１００が面積比率は所定値以下であると判定すると、光源１０
３は、ウィンドウ数が２以上であると判定する場合と同じ発光量で発光するように制御される。制御部１００が面積比率は所定値より大きいと判定すると、Ｓ２０３へ遷移する。これは、コンテンツ領域であるウィンドウ５０１にあわせて光源１０３の発光量を調整すると、画像データ４００におけるウィンドウ外の領域の表示輝度が変化してしまうことを考慮している。画像データ４００におけるウィンドウ外の領域が広い場合、ウィンドウ外にユーザの作業スペースや別の鑑賞対象が存在することが想定され、輝度変更が行われると視覚性が低下するなどの悪影響を、ユーザに与えてしまう可能性がある。そこで、制御部１００は、面積比率が所定値以下である場合は、ユーザに与える悪影響が大きいと判定して、光源１０３の発光量制御などは実行しない。
【００７３】
本変形例では、算出した面積比率０．２５と所定値を比較する。ここで、ウィンドウ５０１が画像データ４００に対して略全面であるか否かで制御を変えるために、本変形例では所定値を０．９として説明する。なお、所定値は０．９に限らず、例えば画像データ４００の大きさに応じた値としてもよいし、画像データ４００とウィンドウ５０１の平均コード値の差分に応じた値にしてもよいし、ユーザから入力された値であってもよい。制御部１００は、算出した面積比率である０．２５と所定値である０．９を比較演算した結果、算出した面積比率が所定値以下であると判定する。このため、制御部１００は、光源１０３の発光量を制御することで、画像のウィンドウ外における鑑賞に対して悪影響を与えてしまう可能性があると判定し、工程を終了する。
【００７４】
画像データ４００に対するウィンドウ５０１の面積比率が所定値より大きい場合は、実施形態１と同様、Ｓ２０３〜Ｓ２０５にて、制御部１００は光源の発光量制御およびＥＯＴＦに基づく変換処理を行い、工程を終了する。
【００７５】
なお、実施形態１においては、ＥＯＴＦに基づく変換処理を画像全体に対し適用する方法を説明したが、この方法に限ることはなく、例えば、領域毎に適用するＥＯＴＦを変更する方法も考えられる。例えば、コンテンツ領域外においては、制御後の光源１０３による発光量と制御前の光源１０３による発光量との比率に基づいてＥＯＴＦを変更することでコード値の変換を行い、光源１０３の制御前後で変わらない表示輝度で表示されるようにする。
【００７６】
以上のように、画像データ全体に対するウィンドウの面積比率に基づいて光源の発光量制御の実施を判定することで、１つのウィンドウのみを有する画像データにおいて、ウィンドウ外の表示領域の鑑賞を阻害する可能性を低減することができる。
【００７７】
＜変形例２＞
以下にて、実施形態１に係る変形例２について説明する。本変形例では、画像取得部１１０および画像取得部１１１から受信した各画像データを左右に並べて配置して１枚の画像として投影する表示機能を有するプロジェクタ１０について説明する。このような表示形態はＰｂｙＰ（Ｐｉｃｔｕｒｅ  ｂｙ  Ｐｉｃｔｕｒｅ）と呼ばれている。なお、左右に並べる配置に限らず、上下に並べる配置でもよいし、並べる画像データは２つの画像データに限らず、３つの画像データやそれ以上の数の画像データであってもよい。
【００７８】
図６（Ｄ）はプロジェクタ１０によってＰｂｙＰの表示状態で表示を行う場合の画像データを示す図である。縮小画像データ４０１は画像取得部１１０から受信した画像データが縮小されたものであり、縮小画像データ４０２は画像取得部１１１から受信した画像データが縮小されたものである。さらに、ここで縮小画像データ４０１は全体がコンテンツ領域であり、縮小画像データ４０２はメタデータに対応したコンテンツ領域を有しない画像データであるとして説明する。つまり、縮小画像データ４０２は、例えば、ウィンドウ数や輝度値を含むメタデータに対応したコンテンツ領域は有しない。
【００７９】
なお、操作部１１４を通じてユーザによる指示を受け付けることでＰｂｙＰ表示形態への表示形態の変更が可能であるものとする。なお、不図示のＯＳＤ（Ｏｎ  Ｓｃｒｅｅｎ
Ｄｉｓｐｌａｙ）メニューが表示部１３０に表示され、リモコンなどから発せられる赤外線を赤外線受信部１２４が受信することで、表示形態が変更されてもよい。制御部１００は、ユーザによりＰｂｙＰ表示形態への変更指示が入力されると、ＲＡＭ１５１に自身の表示形態情報を書き出して保持しておく。制御部１００は、ＲＡＭ１５１から表示形態情報を読み出すことで自装置の表示形態を判定することができる。
【００８０】
以下、図８（Ｂ）が示すフローチャートに基づき、光源制御およびＥＯＴＦに基づく変換処理を実施するか否かの判定について説明する。なお、変形例１と共通するＳ２０１〜Ｓ２０５、Ｓ３０１〜Ｓ３０３の処理の説明は省略し、異なる処理であるＳ４０１について詳細に説明する。なお、以下では、画像取得部１１０が取得した縮小画像データにおけるウィンドウ数に応じてＳ２０２の判定が行われるものとするが、全ての縮小画像データにおけるウィンドウ数の合計に応じてＳ２０２の判定が行われてもよい。また、以下では、画像取得部１１０が取得した縮小画像データの面積に対するウィンドウの面積を面積比率とするが、全ての縮小画像データの面積の合計に対するウィンドウの面積を面積比率として、Ｓ３０３の判定が行われるものとしてもよい。
【００８１】
Ｓ２０１〜Ｓ２０２、Ｓ３０１〜Ｓ３０３では変形例１と同様、制御部１００がメタデータ保持部１１０４から読み出すウィンドウ数およびウィンドウ座標に関する情報に基づいて各種処理を行う。Ｓ３０３にて、制御部１００が、画像データに対するウィンドウの面積比率が所定値より大きいと判定すると、Ｓ４０１へ遷移し、面積比率が所定値以下であると判定すると、工程は終了する。なお、本変形例において、Ｓ３０３における面積比率による判定は必須ではなく、Ｓ３０２の工程が終了すると、Ｓ４０１に遷移してもよい。
【００８２】
（Ｓ４０１）
制御部１００は、自装置の表示形態がＰｂｙＰであるか否かを、ＲＡＭ１５１から読み出す表示形態情報に基づき判定する。制御部１００がＰｂｙＰ表示形態であると判定した場合は、工程を終了する。また、制御部１００は、ＰｂｙＰ表示形態でないと判定した場合は、実施形態１と同様に、Ｓ２０３〜Ｓ２０５にて発光量制御およびＥＯＴＦに基づく変換処理を行い、工程を終了する。なお、Ｓ４０１におけるＰｂｙＰ表示形態であるか否かの判定は、Ｓ２０１の直後に行われてもよい。この場合は、ＰｂｙＰ表示形態であると判定されれば工程は終了し、ＰｂｙＰ表示形態でないと判定されればＳ２０２に遷移すればよい。つまり、ＰｂｙＰ表示状態であれば、ウィンドウ数や面積比率に応じた判定をすることなく、光源１０３の発光量制御やＥＯＴＦに基づいた画像処理を行わないようにしてもよい。
【００８３】
これは、ＰｂｙＰ表示形態である場合に、コンテンツ領域を含む縮小画像データ４０１に応じた発光量制御やＥＯＴＦに基づく変換処理がされると、コンテンツ領域を含まない縮小画像データ４０２の表示に影響を及ぼす可能性があるからである。例えば、コンテンツ領域を有する縮小画像データ４０１に応じて光源１０３の発光量を低下させる場合、それに連動してコンテンツ領域を有する縮小画像データ４０１以外の表示輝度が低下してしまい、ユーザの鑑賞を阻害する可能性がある。
【００８４】
以上のように、変形例１の場合に加えて、さらに自装置の表示形態に関する状態を考慮して、制御部１００が光源１０３の発光量制御の実施を判定することで、ＰｂｙＰ表示形態における画像の鑑賞を阻害する可能性を低減することができる。
【００８５】
＜変形例３＞
以下にて、実施形態１に係る変形例３について説明する。実施形態１ではメタデータの示すウィンドウ数に応じた処理を説明した。本変形例ではウィンドウ数が２以上の場合においても、各ウィンドウの最大輝度値に基づいて発光量制御およびＥＯＴＦに基づく変換処理を行う例について、図５（Ｂ）のフローチャートを用いて説明する。なお、実施形態１と共通するＳ２０１〜Ｓ２０５の処理は説明を省略し、異なる処理であるＳ５０１，Ｓ５０２について詳細に説明する。
【００８６】
ここで具体的なウィンドウ数、最大輝度値に基づいて詳細に説明する。図６（Ｂ）はウィンドウ数が２つである場合の画像データを示す図である。図６（Ｂ）が示すウィンドウ５０１の最大輝度値に関するメタデータは８０ｎｉｔ、ウィンドウ５０２の最大輝度値に関するメタデータは３００ｎｉｔであるものとする。
【００８７】
Ｓ２０１〜Ｓ２０２は実施形態１と同様、制御部１００がウィンドウ数をメタデータ保持部１１０４から読み出し判定を行う処理である。Ｓ２０２にてウィンドウ数が２以上と判定されるとＳ５０１へ遷移し、ウィンドウ数が１と判定されるとＳ２０３へ遷移する。本変形例では、制御部１００は、ウィンドウ数が２であるためＳ５０１に遷移する判定を行う。なお、Ｓ２０２でのウィンドウ数の判定を実施せずに、ウィンドウ数の数がいくつであっても、Ｓ５０１に遷移してもよい。
【００８８】
（Ｓ５０１）
制御部１００は、メタデータ保持部１１０４から各ウィンドウに紐づく最大輝度値に関する情報を読み出す。本変形例では、制御部１００は各ウィンドウに紐づく最大輝度値に関するメタデータとして８０ｎｉｔ、３００ｎｉｔという数値をメタデータ保持部１１０４から読み出す。制御部１００は読み出した各最大輝度値の中から、さらに最大の値をとるものを算出する。本変形例では、全てのウィンドウにおける最大輝度値として３００ｎｉｔという値が算出される。
【００８９】
（Ｓ５０２）
制御部１００は、各ウィンドウに紐づく最大輝度値に関する情報のうち、最も高い輝度値に基づいて、光源制御部１０５へ光源１０３の発光量を制御するように指示する。これは、低い輝度値に紐づくウィンドウにあわせるように光源１０３の発光量を制御すると、高い輝度値に紐づくウィンドウを当該高い表示輝度で表示できなくなることを防ぐためである。逆に、高い輝度値に紐づくウィンドウにあわせるように光源１０３の発光量を制御する場合にあっては、低い輝度値に紐づくウィンドウのコード値を調整することで表示輝度は制御できる。本変形例では、制御部１００は全てのウィンドウにおける最大輝度値である３００ｎｉｔという値に基づいて、光源制御部１０５へ光源１０３の発光量制御の指示をする。つまり、実施形態１におけるＳ２０４と同じ処理が光源１０３に対して施される。なお、光源１０３の発光量を、例えば、ウィンドウ数が少ないほど、より低下させるといった制御が行われてもよい。
【００９０】
Ｓ２０５では、制御部１００は、画像処理部１６０に指示をして、実施形態１と同様に、図７が示すＥＯＴＦ３０１に基づいて画像データ全体に対してコード値の変換を行う。この変換により、最大輝度値が８０ｎｉｔの縮小画像データ４０１に対してもコード値が変換されるため、最終的に投影対象物に表示される縮小画像データ４０１の表示輝度の低下を抑制することができる。
【００９１】
以上のように、各ウィンドウの輝度値から最も高い輝度値に基づいて制御部１００が光源１０３の発光量を制御する。これにより、輝度値が低いウィンドウに応じて光源１０３の発光量が調整されることによって輝度値が高いウィンドウが暗くされることを防ぐこと
ができる。そのため、ユーザの鑑賞を阻害する可能性を低減することができる。また、実施形態１と違い、ウィンドウ数が２以上であっても光源１０３の発光量が制御できるため、消費電力の削減や黒浮きの抑制などがさらに効果的に実現できる。
【００９２】
なお、上記の実施形態や変形例の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ＡＳＩＣ、ＦＰＧＡ、ＤＳＰなどのハードウェアによって実現されてもよいし、そうでなくてもよい。例えば、装置が、プロセッサーと、制御プログラムが格納されたメモリとを有していてもよい。そして、装置が有する少なくとも一部の機能部の機能が、プロセッサーがメモリから制御プログラムを読み出して実行することにより実現されてもよい。
【００９３】
（その他の実施形態）
本発明は、上記の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９４】
１０    プロジェクタ
１００  制御部
１０３  光源
１０５  光源制御部
１１０  画像取得部
【図１】
2019186690.tif 000003
【図２】
2019186690.tif 000004
【図３】
2019186690.tif 000005
【図４】
2019186690.tif 000006
【図５】
2019186690.tif 000007
【図６】
2019186690.tif 000008
【図７】
2019186690.tif 000009
【図８】
2019186690.tif 000010
【図９】
2019186690.tif 000011